(57)【特許請求の範囲】
【請求項１】
画像形成装置に用いられ、感光体にトナー画像を現像する現像装置であって、
前記感光体に対向しているトナー担持体と、
前記トナー担持体よりも前記感光体の移動方向の下流側において、該感光体に対して所定の隙間を介して対向している飛散トナー防止部材と、
を備えており、
前記画像形成装置は、前記飛散トナー防止部材よりも前記移動方向の下流側に位置する吸引孔であって、トナーを吸引する吸引孔が設けられている吸引ダクトを有しており、
前記飛散トナー防止部材が前記感光体に対向している対向面には、トナーを前記吸引孔に導く流路となる凹部が設けられており、
前記トナー担持体は、所定方向に延在している円筒形状をなしており、
前記凹部は、前記吸引孔よりも、前記トナー担持体の前記所定方向の端部から離れた位置に設けられていること、
を特徴とする現像装置。
【請求項２】
画像形成装置に用いられ、感光体にトナー画像を現像する現像装置であって、
前記感光体に対向しているトナー担持体と、
前記トナー担持体よりも前記感光体の移動方向の下流側において、該感光体に対して所定の隙間を介して対向している飛散トナー防止部材と、
を備えており、
前記画像形成装置は、前記飛散トナー防止部材よりも前記移動方向の下流側に位置する吸引孔であって、トナーを吸引する吸引孔が設けられている吸引ダクトを有しており、
前記飛散トナー防止部材が前記感光体に対向している対向面には、トナーを前記吸引孔に導く流路となる凹部が設けられており、
前記飛散トナー防止部材は、
前記対向面の一部を構成する主面であって、切り欠きが設けられている主面を有している本体と、
前記主面の裏面側から前記切り欠きを覆っているカバー部材と、
を含んでおり、
前記凹部は、前記本体と前記カバー部材とにより構成されていること、
を特徴とする現像装置。
【請求項３】
前記現像装置は、
前記吸引ダクトを、
更に備えていること、
を特徴とする請求項１又は請求項２のいずれかに記載の現像装置。
【請求項４】
前記トナー担持体は、前記所定方向の両端部において、トナーを担持しない非担持領域を有しており、
前記吸引孔は、前記所定方向に直交する方向から平面視したときに、前記非担持領域のそれぞれと重なるように設けられていること、
を特徴とする請求項１に記載の現像装置。
【請求項５】
前記カバー部材と前記本体との間には、隙間が設けられていること、
を特徴とする請求項２に記載の現像装置。
【請求項６】
請求項１ないし請求項５のいずれかに記載の現像装置を備えていること、
を特徴とする画像形成装置。
【発明の詳細な説明】
【技術分野】
【０００１】
本発明は、現像装置及び画像形成装置に関し、特に、感光体にトナー画像を現像する現像装置及び画像形成装置に関する。
【背景技術】
【０００２】
従来の現像装置としては、例えば、特許文献１に記載の現像装置が知られている。図７は、特許文献１に記載の現像装置５００の構成図である。
【０００３】
現像装置５００は、図７に示すように、現像ローラ５０２、飛散トナー防止板５０４及びトナー吸引ダクト５０６を備えている。現像ローラ５０２は、図示しない感光体に対してトナー画像を現像する。飛散トナー防止板５０４は、現像ローラ５０２からトナーが飛散することを防止するために、感光体と対向するように設けられている部材である。トナー吸引ダクト５０６は、吸引孔５０８を介して、飛散したトナーを吸引する。以上のような現像装置５００によれば、トナーの飛散が抑制され、画像品質の低下を防ぐことが可能である。
【０００４】
しかしながら、現像装置５００では、以下に説明するように、トナーの飛散を十分に抑制することができない。より詳細には、現像ローラ５０２は、トナーを担持する担持領域と、トナーを担持しない非担持領域とを有している。現像装置５００の駆動時には、非担持領域において、トナーの飛散が発生しやすい。よって、吸引孔５０８は、図７に示すように、非担持領域が設けられている現像ローラ５０２の端部近傍に設けられている。
【０００５】
ところが、非担持領域において飛散したトナーの一部は、吸引孔５０８を介してトナー吸引ダクト５０６に吸引されることなく、飛散トナー防止板５０４上に堆積する。そして、飛散トナー防止板５０４上に堆積したトナーの量が多くなると、該トナーが感光体ドラム又は現像ローラ５０２上に落下してしまうことがある。その結果、現像装置５００が適用された画像形成装置において、画像品質の低下が発生してしまう。
【先行技術文献】
【特許文献】
【０００６】
【特許文献１】特開２００９−１１５９９０号公報
【発明の概要】
【発明が解決しようとする課題】
【０００７】
そこで、本発明の目的は、画像品質の低下を抑制できる現像装置及び画像形成装置を提供することである。
【課題を解決するための手段】
【０００８】
本発明の第１の形態に係る現像装置は、画像形成装置に用いられ、感光体にトナー画像を現像する現像装置であって、前記感光体に対向しているトナー担持体と、前記トナー担持体よりも前記感光体の移動方向の下流側において、該感光体に対して所定の隙間を介して対向している飛散トナー防止部材と、を備えており、前記画像形成装置は、前記飛散トナー防止部材よりも前記移動方向の下流側に位置する吸引孔であって、トナーを吸引する吸引孔が設けられている吸引ダクトを有しており、前記飛散トナー防止部材が前記感光体に対向している対向面には、トナーを前記吸引孔に導く流路となる凹部が設けられており、前記トナー担持体は、所定方向に延在している円筒形状をなしており、前記凹部は、前記吸引孔よりも、前記トナー担持体の前記所定方向の端部から離れた位置に設けられていること、を特徴とする。
本発明の第２の形態に係る現像装置は、画像形成装置に用いられ、感光体にトナー画像を現像する現像装置であって、前記感光体に対向しているトナー担持体と、前記トナー担持体よりも前記感光体の移動方向の下流側において、該感光体に対して所定の隙間を介して対向している飛散トナー防止部材と、を備えており、前記画像形成装置は、前記飛散トナー防止部材よりも前記移動方向の下流側に位置する吸引孔であって、トナーを吸引する吸引孔が設けられている吸引ダクトを有しており、前記飛散トナー防止部材が前記感光体に対向している対向面には、トナーを前記吸引孔に導く流路となる凹部が設けられており、前記飛散トナー防止部材は、前記対向面の一部を構成する主面であって、切り欠きが設けられている主面を有している本体と、前記主面の裏面側から前記切り欠きを覆っているカバー部材と、を含んでおり、前記凹部は、前記本体と前記カバー部材とにより構成されていること、を特徴とする。
【０００９】
本発明は、前記現像装置を備えている画像形成装置に対しても向けられている。
【発明の効果】
【００１０】
本発明によれば、画像品質の低下を抑制できる。
【図面の簡単な説明】
【００１１】
【図１】画像形成装置の全体構成を示した図である。
【図２】現像装置を有する作像ユニットの外観斜視図である。
【図３】図３（ａ）は、現像装置の外観斜視図であり、図３（ｂ）及び図３（ｃ）は、現像装置の拡大図である。
【図４】現像装置を鉛直方向の上側から平面視した図である。
【図５】図５（ａ）は、現像装置のＡ−Ａにおける断面構造図であり、図５（ｂ）は、現像装置のＢ−Ｂにおける断面構造図であり、図５（ｃ）は、現像装置のＣ−Ｃにおける断面構造図である。
【図６】本体及びカバー部材の拡大図である。
【図７】特許文献１に記載の現像装置の構成図である。
【発明を実施するための形態】
【００１２】
以下に、本発明の一実施形態に係る現像装置及び画像形成装置について図面を参照しながら説明する。
【００１３】
（画像形成装置の構成）
以下に、本発明の実施形態に係る現像装置を備えた画像形成装置について図面を参照しながら説明する。図１は、画像形成装置１の全体構成を示した図である。
【００１４】
画像形成装置１は、電子写真方式によるカラープリンタであって、いわゆるタンデム式で４色（Ｙ：イエロー、Ｍ：マゼンタ、Ｃ：シアン、Ｋ：ブラック）の画像を合成するように構成したものである。該画像形成装置１は、スキャナにより読み取った画像データに基づいて、用紙に画像を形成する機能を有し、図１に示すように、印刷部２、給紙部１５、タイミングローラ対１９、定着装置２０及び排紙トレイ２１を備えている。
【００１５】
給紙部１５は、用紙を１枚ずつ供給する役割を果たし、用紙トレイ１６及び給紙ローラ１７を含む。用紙トレイ１６には、印刷前の状態の用紙が複数枚重ねて載置される。給紙ローラ１７は、用紙トレイ１６に載置された用紙を１枚ずつ取り出す。タイミングローラ対１９は、印刷部２においてトナー画像が用紙に２次転写されるように、タイミングを調整しながら用紙を搬送する。
【００１６】
印刷部２は、給紙部１５から供給されてくる用紙にトナー画像を形成し、作像ユニット（２２Ｙ，２２Ｍ，２２Ｃ，２２Ｋ）、光走査装置６（６Ｙ，６Ｍ，６Ｃ，６Ｋ）、転写部８（８Ｙ，８Ｍ，８Ｃ，８Ｋ）、中間転写ベルト１１、駆動ローラ１２、従動ローラ１３、２次転写ローラ１４及びクリーニング装置１８を含んでいる。また、作像ユニット（２２Ｙ，２２Ｍ，２２Ｃ，２２Ｋ）は、感光体ドラム４（４Ｙ，４Ｍ，４Ｃ，４Ｋ）、帯電器５（５Ｙ，５Ｍ，５Ｃ，５Ｋ）、現像装置７（７Ｙ，７Ｍ，７Ｃ，７Ｋ）及びクリーナー９（９Ｙ，９Ｍ，９Ｃ，９Ｋ）を含んでいる。
【００１７】
感光体ドラム４（４Ｙ，４Ｍ，４Ｃ，４Ｋ）は、円筒形状をなしており、図１において時計回りに回転させられる。帯電器５（５Ｙ，５Ｍ，５Ｃ，５Ｋ）は、感光体ドラム４（４Ｙ，４Ｍ，４Ｃ，４Ｋ）の周面を帯電させる。光走査装置６（６Ｙ，６Ｍ，６Ｃ，６Ｋ）は、制御部（図示せず）の制御により、感光体ドラム４（４Ｙ，４Ｍ，４Ｃ，４Ｋ）の周面に対してビームＢ（ＢＹ，ＢＭ，ＢＣ，ＢＫ）を走査する。これにより、感光体ドラム４（４Ｙ，４Ｍ，４Ｃ，４Ｋ）の周面には静電潜像が形成される。
【００１８】
現像装置７（７Ｙ，７Ｍ，７Ｃ，７Ｋ）は、感光体ドラム４（４Ｙ，４Ｍ，４Ｃ，４Ｋ）に静電潜像に基づくトナー画像を現像する。なお、現像装置７の詳細については後述する。
【００１９】
中間転写ベルト１１は、駆動ローラ１２と従動ローラ１３との間に張り渡されている。中間転写ベルト１１には、感光体ドラム４に現像されたトナー画像が１次転写される。転写部８は、中間転写ベルト１１の内周面に対向するように配置されており、感光体ドラム４に形成されたトナー画像を中間転写ベルト１１に１次転写する役割を果たす。クリーナー９は、１次転写後に感光体ドラム４の周面に残存しているトナーを回収する。駆動ローラ１２は、中間転写ベルト駆動部（図１には記載せず）により回転させられることにより、中間転写ベルト１１を矢印αの方向に駆動させる。これにより、中間転写ベルト１１は、トナー画像を２次転写ローラ１４まで搬送する。
【００２０】
２次転写ローラ１４は、中間転写ベルト１１と対向し、ドラム形状をなしている。そして、２次転写ローラ１４は、転写電圧が印加されることにより、中間転写ベルト１１との間を通過する用紙に対して、中間転写ベルト１１が担持しているトナー画像を２次転写する。クリーニング装置１８は、用紙へのトナー画像の２次転写後に、中間転写ベルト１１に残存しているトナーを除去する。
【００２１】
トナー画像が２次転写された用紙は、定着装置２０に搬送される。定着装置２０は、用紙に対して加熱処理及び加圧処理を施すことにより、トナー画像を用紙に定着させる。排紙トレイ２１には、印刷済みの用紙が載置される。
【００２２】
（現像装置の構成）
次に、現像装置７の構成の詳細を図面を参照しながら説明する。以下では、現像装置７Ｋを例にとって説明する。図２は、現像装置７Ｋを有する作像ユニット２２Ｋの外観斜視図である。図３（ａ）は、現像装置７Ｋの外観斜視図であり、図３（ｂ）及び図３（ｃ）は、現像装置７Ｋの拡大図である。図４は、現像装置７Ｋを鉛直方向の上側から平面視した図である。図５（ａ）は、現像装置７ＫのＡ−Ａにおける断面構造図であり、図５（ｂ）は、現像装置７ＫのＢ−Ｂにおける断面構造図であり、図５（ｃ）は、現像装置７ＫのＣ−Ｃにおける断面構造図である。以下では、現像装置７Ｋの長手方向をｘ軸方向と定義する。また、現像装置７Ｋにおける鉛直方向をｚ軸方向と定義し、ｘ軸方向及びｚ軸方向に直交する方向をｙ軸方向と定義する。
【００２３】
現像装置７Ｋは、図２に示すように、作像ユニット２２Ｋの一部を構成している。そして、現像装置７Ｋは、図３ないし図５に示すように、現像ローラ（トナー担持体）７２Ｋ、供給ローラ７４Ｋ、撹拌ローラ７６Ｋ、収容部７８Ｋ、飛散トナー防止部材８０Ｋ、吸引ダクト８２Ｋ及びシール部材９０−１Ｋ，９０−２Ｋを備えている。
【００２４】
収容部７８Ｋは、現像装置７Ｋの本体を構成しており、トナーを収容していると共に、現像ローラ７２Ｋ、供給ローラ７４Ｋ及び撹拌ローラ７６Ｋを格納している。撹拌ローラ７６Ｋは、収容部７８Ｋ内のトナーを撹拌して負に帯電させる。供給ローラ７４Ｋは、負に帯電しているトナーを現像ローラ７２Ｋに供給する。
【００２５】
現像ローラ７２Ｋは、図１及び図５に示すように、感光体ドラム４Ｋと所定の隙間を介して対向しており、図３及び図４に示すように、ｘ軸方向に延在している円筒形状をなしている。現像ローラ７２Ｋは、図３及び図４に示す軸Ａｘを中心として、感光体ドラム４Ｋと同方向（すなわち、図１では時計回り）に回転させられる。以上のような構成を有する現像ローラ７２Ｋは、その周面においてトナーを担持し、図３及び図４に示すように、収容部７８Ｋから長方形状に露出している。そして、現像ローラ７２Ｋは、収容部７８Ｋから露出している部分において感光体ドラム４Ｋと対向し、該感光体ドラム４Ｋにトナーを付与する。
【００２６】
ここで、現像ローラ７２Ｋは、図３に示すように、担持領域Ａ１及び非担持領域Ａ２，Ａ３を有している。非担持領域Ａ２，Ａ３はそれぞれ、現像ローラ７２のｘ軸方向の負方向側及び正方向側の端部に設けられており、トナーを担持しない領域である。非担持領域Ａ２，Ａ３は、現像ローラ７２Ｋの両端に金属製のカバーが取り付けられることにより構成されている。また、担持領域Ａ１は、非担持領域Ａ２，Ａ３間に設けられており、トナーを担持する。
【００２７】
飛散トナー防止部材８０Ｋは、感光体ドラム４Ｋと現像ローラ７２Ｋとの隙間からトナーが飛散することを防止するための部材である。そこで、飛散トナー防止部材８０Ｋは、図５に示すように、現像ローラ７２Ｋよりも感光体ドラム４Ｋの周面の移動方向の下流側（すなわち、現像ローラ７２Ｋの周面の移動方向の上流側）において、感光体ドラム４Ｋに対して所定の隙間を介して対向する対向面Ｓ１を有している。飛散トナー防止部材８０Ｋは、図３及び図５に示すように、本体８４Ｋ及びカバー部材８６−１Ｋ，８６−２Ｋを含んでいる。
【００２８】
本体８４Ｋは、図３に示すように、ｘ軸方向において現像ローラ７２Ｋと略同じ長さを有する板状の部材であり、対向面Ｓ１の一部を構成する主面Ｓ２であって、感光体ドラム４Ｋと対向する主面Ｓ２を有している。主面Ｓ２は、図５に示すように、感光体ドラム４Ｋと現像ローラ７２Ｋとの隙間を覆っている。これにより、感光体ドラム４Ｋが回転することによって発生する気流によって、トナーが現像装置７Ｋ外に飛散することを防止している。また、主面Ｓ２には、図３に示すように、長方形状の切り欠きｃ１，ｃ２が設けられている。切り欠きｃ１，ｃ２は、本体８４Ｋのｘ軸方向の両端近傍において、ｚ軸方向の正方向側の長辺の一部がカットされることにより形成されている。
【００２９】
カバー部材８６−１Ｋ，８６−２Ｋはそれぞれ、図３に示すように、本体８４Ｋの主面Ｓ２の裏面側から切り欠きｃ１，ｃ２を覆っている板状の部材である。そして、カバー部材８６−１Ｋ，８６−２Ｋの主面Ｓ３は、図５に示すように、感光体ドラム４Ｋに対向している。よって、対向面Ｓ１は、主面Ｓ２，Ｓ３により構成されている。カバー部材８６−１Ｋ，８６−２Ｋは、本体８４Ｋに対して着脱可能に両面テープや接着剤などにより貼りつけられている。
【００３０】
ここで、前記のとおり、カバー部材８６−１Ｋ，８６−２Ｋは、本体８４Ｋの裏面側に貼りつけられている板状の部材である。そのため、本体８４Ｋの主面Ｓ２とカバー部材８６−１Ｋ，８６−２Ｋの主面Ｓ２との間には、図３に示すように、段差が存在する。これにより、飛散トナー防止部材８０Ｋの対向面Ｓ１には、本体８４Ｋ及びカバー部材８６−１Ｋ，８６−２Ｋにより構成されている凹部ｇ１，ｇ２が設けられている。凹部ｇ１，ｇ２は、感光体ドラム４Ｋから離れる方向に窪んでいる。すなわち、凹部ｇ１，ｇ２における感光体ドラム４Ｋと飛散トナー防止部材８０Ｋとの隙間の大きさは、対向面Ｓ１の凹部ｇ１，ｇ２以外の部分における感光体ドラム４Ｋと飛散トナー防止部材８０Ｋとの隙間の大きさよりも大きくなっている。
【００３１】
また、本体８４Ｋとカバー部材８６−１Ｋ，８６−２Ｋとの間には、隙間が設けられている。図６は、本体８４Ｋ及びカバー部材８６−１Ｋ，８６−２Ｋの拡大図である。
【００３２】
カバー部材８６−１Ｋ，８６−２Ｋは、本体８４Ｋの対向面Ｓ１の裏面に貼りつけられている板状の部材である。この際、カバー部材８６−１Ｋ，８６−２Ｋは、本体８４Ｋとカバー部材８６−１Ｋ，８６Ｋ−２との間に隙間ｇ１０，ｇ１１が形成されるように、本体８４Ｋに対して貼りつけられる。図６では、カバー部材８６−１Ｋ，８６−２Ｋのｚ軸方向の負方向側の端部と本体８４Ｋとの間に隙間ｇ１０，ｇ１１が形成されている。隙間ｇ１０，ｇ１１の幅は、例えば、０．２ｍｍ〜０．５ｍｍである。
【００３３】
吸引ダクト８２Ｋは、図３及び図５に示すように、収容部７８Ｋのｚ軸方向の正方向側に設けられており、画像形成装置１に設けられた負圧発生源により内部が負圧に保たれている箱状部材である。吸引ダクト８２Ｋには、吸引孔ｈ１，ｈ２が設けられている。吸引孔ｈ１，ｈ２は、飛散トナー防止部材８０Ｋよりも感光体ドラム４Ｋの周面の移動方向の下流側に位置し、かつ、感光体ドラム４Ｋと飛散トナー防止部材８０Ｋとの隙間から漏れ出たトナーを吸引するために設けられている。
【００３４】
ここで、吸引孔ｈ１，ｈ２はそれぞれ、図３に示すように、現像ローラ７２Ｋのｘ軸方向の両端近傍に設けられている。より詳細には、吸引孔ｈ１，ｈ２はそれぞれ、ｙ軸方向から平面視したときに、非担持領域Ａ２，Ａ３と重なるように設けられている。また、吸引孔ｈ１は、凹部ｇ１よりもｘ軸方向の負方向側に設けられ、吸引孔ｈ２は、凹部ｇ２よりもｘ軸方向の正方向側に設けられている。これにより、凹部ｇ１，ｇ２はそれぞれ、図３に示すように、吸引孔ｈ１，ｈ２よりも、現像ローラ７２Ｋのｘ軸方向の両端部から離れた位置に設けられている。
【００３５】
シール部材９０−１Ｋは、図３に示すように、現像ローラ７２Ｋのｘ軸方向の負方向側の端部に接していると共に、飛散トナー防止部材８０Ｋの一部を覆っている。また、シール部材９０−２Ｋは、図３に示すように、現像ローラ７２Ｋのｘ軸方向の正方向側の端部に接していると共に、飛散トナー防止部材８０Ｋの一部を覆っている。これにより、シール部材９０−１Ｋ，９０−２Ｋは、現像ローラ７２Ｋと飛散トナー防止部材８０との間に隙間が発生することを防止している。
【００３６】
（効果）
以上のように構成された現像装置７Ｋによれば、画像品質の低下を抑制できる。より詳細には、飛散トナー防止部材８０Ｋには、図３に示すように、凹部ｇ１，ｇ２が設けられている。凹部ｇ１，ｇ２は、吸引孔ｈ１，ｈ２よりも、感光体ドラム４Ｋの周面の移動方向の上流側に位置している。そのため、感光体ドラム４Ｋの回転により発生した気流は、図３の矢印に示すように、飛散トナー防止部材８０Ｋの本体８４Ｋを通過する際に、主面Ｓ１の凹部ｇ１，ｇ２以外の部分よりも凹部ｇ１，ｇ２を優先的に通過するようになる。そして、該気流は、凹部ｇ１，ｇ２を通過した後に、吸引孔ｈ１，ｈ２に流入する。すなわち、凹部ｇ１，ｇ２は、トナーを吸引孔ｈ１，ｈ２に導くための流路として機能する。その結果、トナーが飛散トナー防止部材８０Ｋに堆積することが抑制されるようになり、現像装置７において画像品質の低下が抑制される。
【００３７】
更に、現像装置７Ｋによれば、以下の理由によっても、画像品質の低下を抑制できる。より詳細には、非担持領域Ａ２，Ａ３ではトナーが担持されないため、担持領域Ａ１よりも非担持領域Ａ２，Ａ３においてトナーが飛散しやすい。そこで、現像装置７では、ｙ軸方向から平面視したときに、吸引孔ｈ１，ｈ２と非担持領域Ａ２，Ａ３とを重ねるように設けている。これにより、非担持領域Ａ２，Ａ３において飛散したトナーは、吸引孔ｈ１，ｈ２により吸引されやすくなる。その結果、トナーが飛散トナー防止部材８０Ｋに堆積することが抑制されるようになり、現像装置７において画像品質の低下が抑制される。
【００３８】
更に、現像装置７Ｋによれば、以下の理由によっても、画像品質の低下を抑制できる。より詳細には、非担持領域Ａ２，Ａ３ではトナーが担持されないため、担持領域Ａ１よりも非担持領域Ａ２，Ａ３において多くのトナーが飛散する。飛散したトナーの一部は、吸引孔ｈ１，ｈ２により吸引されることなく、飛散トナー防止部材８０Ｋの対向面Ｓ１全面に広がって、飛散トナー防止部材８０Ｋの対向面Ｓ１の全面にトナーが堆積するおそれがある。そこで、現像装置７Ｋでは、凹部ｇ１，ｇ２は、吸引孔ｈ１，ｈ２よりも、現像ローラ７２Ｋのｘ軸方向の端部から離れた位置に設けられている。したがって、トナーを吸引孔ｈ１，ｈ２に導くための流路は、吸引孔ｈ１，ｈ２よりも、飛散トナー防止部材８０Ｋの対向面Ｓ１においてｘ軸方向の中央の近くに形成されるようになる。その結果、非担持領域Ａ２，Ａ３において飛散したトナーは、吸引孔ｈ１，ｈ２を通過して対向面Ｓ１全体に広がる前に、凹部ｇ１，ｇ２によって吸引孔ｈ１，ｈ２に導かれるようになる。すなわち、飛散したトナーは、飛散トナー防止部材８０Ｋの対向面Ｓ１においてｘ軸方向の中央の近くには到達しにくくなる。その結果、トナーが飛散トナー防止部材８０Ｋに堆積することが抑制されるようになり、現像装置７において画像品質の低下が抑制される。
【００３９】
また、現像装置７Ｋによれば、以下の理由によっても、画像品質の低下を抑制できる。より詳細には、図６に示すように、カバー部材８６−１Ｋ，８６−２Ｋと本体８４Ｋとの間には、隙間ｇ１０，ｇ１１が設けられている。そのため、図６に示すように、カバー部材８６−１Ｋ，８６−２Ｋの感光体ドラム４Ｋに対向していない面（主面Ｓ３の裏面）から感光体ドラム４Ｋに対向している主面Ｓ３に向かって気流が発生する。これにより、凹部ｇ１，ｇ２は、飛散したトナーを吸引孔ｈ１，ｈ２に導く流路としてより効果的に機能するようになる。その結果、トナーが飛散トナー防止部材８０Ｋに堆積することが抑制されるようになり、現像装置７において画像品質の低下が抑制される。
【００４０】
また、現像装置７Ｋは、吸引ダクト８２Ｋを備えているとした。しかしながら、現像装置７Ｋは、吸引ダクト８２Ｋを備えている必要はない。この場合には、画像形成装置１が吸引ダクト８２Ｋを有していればよい。
【００４１】
また、現像装置７Ｋでは、凹部ｇ１，ｇ２は、本体８４Ｋ及びカバー部材８６−１Ｋ，８６−２Ｋにより構成されている。しかしながら、凹部ｇ１，ｇ２の構成はこれに限らない。凹部ｇ１，ｇ２は、カバー部材８６−１Ｋ，８６−２Ｋを用いることなく、本体８４Ｋの主面Ｓ２が窪むように加工されることにより構成されていてもよい。
【００４２】
なお、前記説明では、現像装置７Ｋを例にとって説明したが、現像装置７Ｙ，７Ｍ，７Ｃについても現像装置７Ｋと同じことが言える。
【産業上の利用可能性】
【００４３】
本発明は、現像装置及び画像形成装置に有用であり、特に、画像品質の低下を抑制できる点において優れている。
【符号の説明】
【００４４】
Ａ１  担持領域
Ａ２，Ａ３  非担持領域
Ｓ１  対向面
ｃ１，ｃ２  切り欠き
ｇ１，ｇ２  凹部
ｇ１０，ｇ１１  隙間
ｈ１，ｈ２  吸引孔
４Ｙ，４Ｍ，４Ｃ，４Ｋ  感光体ドラム
７Ｙ，７Ｍ，７Ｃ，７Ｋ  現像装置
７２Ｋ  現像ローラ
７４Ｋ  供給ローラ
７６Ｋ  撹拌ローラ
７８Ｋ  収容部
８０Ｋ  飛散トナー防止部材
８２Ｋ  吸引ダクト
８４Ｋ  本体
８６Ｋ−１，８６−２Ｋ  カバー部材
【図１】
0005482403.tif 000002
【図２】
0005482403.tif 000003
【図３】
0005482403.tif 000004
【図４】
0005482403.tif 000005
【図５】
0005482403.tif 000006
【図６】
0005482403.tif 000007
【図７】
0005482403.tif 000008